(57)【要約】【課題】  地盤改良構造体において、有害物質の溶出や、地盤改良材料の溶出、溶脱を防止すること。【解決手段】  地盤改良構造体１０であって、土壌に地盤改良材料を混練した改良土壌１０Ｂを、防水性のあるシート１０Ａで梱包したもの。【選択図】  図１
2008208559.tif 000002
【特許請求の範囲】
【請求項１】
土壌に地盤改良材料を混練した改良土壌を、防水性のあるシートで梱包した地盤改良構造体。
【請求項２】
前記シート上で土壌と地盤改良材料を混練した請求項１に記載の地盤改良構造体。
【請求項３】
前記シートに混練済の土壌と地盤改良材料を投入した請求項１に記載の地盤改良構造体。
【請求項４】
前記シート内の土壌に地盤改良材料を投入して混練した請求項１に記載の地盤改良構造体。
【請求項５】
前記シートの梱包のつなぎ目を密閉した請求項１〜４のいずれかに記載の地盤改良構造体。
【請求項６】
土壌に地盤改良材料を混練した改良土壌を、防水性のある袋に詰めた地盤改良構造体。
【請求項７】
前記袋内で土壌と地盤改良材料を混練した請求項６に記載の地盤改良構造体。
【請求項８】
前記袋内に混練済の土壌と地盤改良材料を投入した請求項６に記載の地盤改良構造体。
【請求項９】
前記袋内の土壌に地盤改良材料を投入して混練した請求項６に記載の地盤改良構造体。
【請求項１０】
前記袋の開口を密閉した請求項６〜９のいずれかに記載の地盤改良構造体。
【発明の詳細な説明】
【技術分野】
【０００１】
本発明は地盤改良構造体に関する。
【背景技術】
【０００２】
土嚢袋に土又はその代替物を詰め込んで箱状に成形した建設資材として、特許文献１に記載のものがある。この建設資材では、土嚢袋に建設廃棄物等を詰め込み、圧縮耐力等を表示することとしている。
【０００３】
工場等の建屋の下に遮水シートを水平に敷設し、遮水シートの上に、有害物質を固化、不溶化又は分解する汚染防止層を形成する土壌汚染防止構造として、特許文献２に記載のものがある。この土壌汚染防止構造では、工場等の建屋内で人知れず漏洩した有害物質が、知らない間に床下の土壌に染み込んで汚染が拡散するのを防止することとしている。
【特許文献１】特開2001-207422
【特許文献２】特開2004-36096
【発明の開示】
【発明が解決しようとする課題】
【０００４】
特許文献１に記載の発明は、土嚢の強度表示に関するものであり、土壌を固化材、溶剤等の地盤改良材料で改良した際の有害物質の溶出、溶脱を防止しようとするところが全くない。
【０００５】
特許文献２に記載の発明は、工場等の建屋内で漏洩した有害物質による土壌の汚染拡散防止に関するものであり、土壌を固化材、溶剤等の地盤改良材料で改良した際の有害物質の溶出、溶脱を防止しようとするところが全くない。尚、特許文献２に記載の発明は、シートを単に、水平に敷設するものであり、シートによる梱包に関するところが全くない。
【０００６】
しかるに、住宅地等の地盤改良では、軟弱な地盤土壌にセメントや石灰、石膏、水ガラス等の固化材、溶液を注入、散布等して混練し、土壌の強度等の性質の改善を図っている。しかしながら、六価クロム等の有害物質の溶出や、周囲からの地下水の流入による地盤改良材料の溶出、溶脱等により、環境汚染を生じたり、改良地盤自体の長期強度低下を招く等の問題がある。
【０００７】
本発明の課題は、地盤改良構造体において、有害物質の溶出や、地盤改良材料の溶出、溶脱を防止することにある。
【課題を解決するための手段】
【０００８】
請求項１の発明は、土壌に地盤改良材料を混練した改良土壌を、防水性のあるシートで梱包した地盤改良構造体である。
【０００９】
請求項２の発明は、請求項１の発明において更に、前記シート上で土壌と地盤改良材料を混練したものである。
【００１０】
請求項３の発明は、請求項１の発明において更に、前記シートに混練済の土壌と地盤改良材料を投入したものである。
【００１１】
請求項４の発明は、請求項１の発明において更に、前記シート内の土壌に地盤改良材料を投入して混練したものである。
【００１２】
請求項５の発明は、請求項１〜４のいずれかの発明において更に、前記シートの梱包のつなぎ目を密閉したものである。
【００１３】
請求項６の発明は、土壌に地盤改良材料を混練した改良土壌を、防水性のある袋に詰めた地盤改良構造体である。
【００１４】
請求項７の発明は、請求項６の発明において更に、前記袋内で土壌と地盤改良材料を混練したものである。
【００１５】
請求項８の発明は、請求項６の発明において更に、前記袋内に混練済の土壌と地盤改良材料を投入したものである。
【００１６】
請求項９の発明は、請求項６の発明において更に、前記袋内の土壌に地盤改良材料を投入して混練したものである。
【００１７】
請求項１０の発明は、請求項６〜９のいずれかの発明において更に、前記袋の開口を密閉したものである。
【発明の効果】
【００１８】
（請求項１）
(a)地盤改良構造体は、土壌に地盤改良材料を混練した改良土壌を、防水性のあるシートで梱包したことにより、改良土壌に対する水の浸入、透過を防止し、六価クロム等の有害物質の溶出による環境汚染や、固化材等の地盤改良材料の溶出、溶脱による長期強度低下を防止できる。また、改良土壌のシートへの梱包により、地盤改良構造体自体の強度を確保できる。
【００１９】
（請求項２）
(b)地盤改良構造体は、シート上で土壌と地盤改良材料を混練したことにより、簡易に作成できる。
【００２０】
（請求項３）
(c)地盤改良構造体は、シートに混練済の土壌と地盤改良材料を投入したことにより、簡易に作成できる。
【００２１】
（請求項４）
(d)地盤改良構造体は、シート内の土壌に地盤改良材料を投入して混練したことにより、簡易に作成できる。
【００２２】
（請求項５）
(e)地盤改良構造体は、シートの梱包のつなぎ目を密閉したことにより、防水性を確保できる。
【００２３】
（請求項６）
(f)地盤改良構造体は、土壌に地盤改良材料を混練した改良土壌を、防水性のある袋に詰めたことにより、改良土壌に対する水の浸入、透過を防止し、六価クロム等の有害物質の溶出による環境汚染や、固化材等の地盤改良材料の溶出、溶脱による長期強度低下を防止できる。また、改良土壌の袋詰めにより、地盤改良構造体自体の強度を確保できる。
【００２４】
（請求項７）
(g)地盤改良構造体は、袋内で土壌と地盤改良材料を混練したことにより、簡易に作成できる。
【００２５】
（請求項８）
(h)地盤改良構造体は、袋内に混練済の土壌と地盤改良材料を投入したことにより、簡易に作成できる。
【００２６】
（請求項９）
(i)地盤改良構造体は、袋内の土壌に地盤改良材料を投入して混練したことにより、簡易に作成できる。
【００２７】
（請求項１０）
(j)地盤改良構造体は、袋の開口を密閉したことにより、防水性を確保できる。
【発明を実施するための最良の形態】
【００２８】
図１は実施例１の地盤改良構造体の使用状態を示す模式図、図２は実施例２の地盤改良構造体の使用状態を示す模式図、図３は実施例３の地盤改良構造体の使用状態を示す模式図、図４は地盤改良構造体の設置工程を示す模式図である。
【実施例】
【００２９】
（実施例１）（図１）
図１は、住宅等の建物１を支持する地盤の浅層改良構造を示すものである。地盤改良構造体１０は、軟質地盤１１を改良範囲の深さ例えば1〜2ｍ（浅層）掘削して露出させた支持地盤１２の上に設置され、地盤改良構造体１０の上に盛り土１３、割栗石１４を介して建物１の基礎２を設ける。
【００３０】
地盤改良構造体１０は、支持地盤１２の上面に防水性のあるシート（遮水シート）１０Ａを敷設し、土壌に地盤改良材料を混練した改良土壌１０Ｂをシート１０Ａで梱包し、密封したものである。本実施例では、建物１の下の全域に、１枚の広いシート１０Ａを敷設し、単一の地盤改良構造体１０を設置した。
【００３１】
改良土壌１０Ｂを構成する地盤改良材料は、固化材と溶剤からなる。これらの地盤改良材料としては、セメント系固化材、石灰系固化材、消石灰、廃石膏、高炉スラグ、珪酸ソーダ・シリカ系溶液、ウレタン系溶液等がある。
【００３２】
シート１０Ａは、土壌の有害物質の内容や固化材・溶剤の仕様、求められる耐久性に応じて必要な遮水性能を持つものとし、必ずしも100％の遮水性能を有する必要はなく、固化材や改良土の性能に応じて透水係数を0〜1×10−6cm/sとするものとする。
【００３３】
シート１０Ａの構成材料としては、ポリプロピレン、ポリエチレン、ポリエステル、塩ビシート等の樹脂系シートやＥＰＤＭ等の合成ゴム系シートがある。また、強度を持たせるため、フラットヤーンを織ったシートに防水層を重ねた複層のシートがある。
【００３４】
地盤改良構造体１０によれば、以下の作用効果を奏する。
地盤改良構造体１０は、土壌に地盤改良材料を混練した改良土壌１０Ｂを、防水性のあるシート１０Ａで梱包したことにより、改良土壌１０Ｂに対する水の浸入、透過を防止し、六価クロム等の有害物質の溶出による環境汚染や、固化材等の地盤改良材料の溶出、溶脱による長期強度低下を防止できる。また、改良土壌１０Ｂのシート１０Ａへの梱包により、地盤改良構造体１０自体の強度を確保できる。
【００３５】
地盤改良構造体１０において、改良土壌１０Ｂの地盤改良材料としてセメント系固化材、石灰系固化材を用いたものでは、六価クロムの溶出を防ぎ、環境汚染を防止できる。
【００３６】
地盤改良構造体１０において、改良土壌１０Ｂの地盤改良材料として廃石膏を用いたものでは、フッ素の溶出を防ぎ、環境汚染を防止できる。
【００３７】
地盤改良構造体１０において、改良土壌１０Ｂの地盤改良材料として消石灰、石膏や珪酸ソーダ・シリカ系溶液を用いたものでは、地下水等の水によるそれら成分の溶脱を防ぎ、地盤改良構造体１０自体の長期強度の低下を防止できる。
【００３８】
（実施例２）（図２）
図２は、住宅等の建物１を支持する地盤の浅層改良構造を示すものである。地盤改良構造体２０は、軟質地盤１１を改良範囲の深さ例えば1〜2ｍ（浅層）掘削して露出させた支持地盤１２の上に設置され、地盤改良構造体２０の上に盛り土１３、割栗石１４を介して建物１の基礎２を設ける。
【００３９】
地盤改良構造体２０は、支持地盤１２の上面に防水性のある袋２０Ａを配置し、土壌に地盤改良材料を混練した改良土壌２０Ｂを袋２０Ａに詰め込み、密封したものである。本実施例では、建物１の下の３位置のそれぞれに、３個の地盤改良構造体２０を３段積層し、支持地盤１２の上で左右に相隣る地盤改良構造体２０と地盤改良構造体２０の間には軟弱地盤１１を埋め戻した。
【００４０】
改良土壌２０Ｂを構成する地盤改良材料は、固化材と溶剤からなる。これらの地盤改良材料としては、セメント系固化材、石灰系固化材、消石灰、廃石膏、高炉スラグ、珪酸ソーダ・シリカ系溶液、ウレタン系溶液等がある。
【００４１】
シート２０Ａは、土壌の有害物質の内容や固化材・溶剤の仕様、求められる耐久性に応じて必要な遮水性能を持つものとし、必ずしも100％の遮水性能を有する必要はなく、固化材や改良土の性能に応じて透水係数を0〜1×10−6cm/sとするものとする。
【００４２】
シート２０Ａの構成材料としては、ポリプロピレン、ポリエチレン、ポリエステル、塩ビシート等の樹脂系シートやＥＰＤＭ等の合成ゴム系シートがある。また、強度を持たせるため、フラットヤーンを織ったシートに防水層を重ねた複層のシートがある。
【００４３】
地盤改良構造体２０によれば、以下の作用効果を奏する。
地盤改良構造体２０は、土壌に地盤改良材料を混練した改良土壌２０Ｂを、防水性のある袋２０Ａに詰めたことにより、改良土壌２０Ｂに対する水の浸入、透過を防止し、六価クロム等の有害物質の溶出による環境汚染や、固化材等の地盤改良材料の溶出、溶脱による長期強度低下を防止できる。また、改良土壌２０Ｂの袋２０Ａ詰めにより、地盤改良構造体２０自体の強度を確保できる。
【００４４】
地盤改良構造体２０において、改良土壌２０Ｂの地盤改良材料としてセメント系固化材、石灰系固化材を用いたものでは、六価クロムの溶出を防ぎ、環境汚染を防止できる。
【００４５】
地盤改良構造体２０において、改良土壌２０Ｂの地盤改良材料として廃石膏を用いたものでは、フッ素の溶出を防ぎ、環境汚染を防止できる。
【００４６】
地盤改良構造体２０において、改良土壌２０Ｂの地盤改良材料として消石灰、石膏や珪酸ソーダ・シリカ系溶液を用いたものでは、地下水等の水によるそれら成分の溶脱を防ぎ、地盤改良構造体２０自体の長期強度の低下を防止できる。
【００４７】
（実施例３）（図３）
実施例３の地盤改良構造体２０が実施例２の地盤改良構造体２０と異なる点は、袋２０Ａを小型化したことにある。本実施例では、建物１の下に多数個の地盤改良構造体２０を４段積層し、各層内において左右に相隣る地盤改良構造体２０と地盤改良構造体２０は隙間なく配置され、上下の各層間で相隣る地盤改良構造体２０と地盤改良構造体２０は千鳥配置した。
【００４８】
以下、地盤改良構造体１０、２０の設置工程について説明する（図４）。
(1)バックホーにより、軟弱地盤１１を改良範囲の深さだけ掘削し、支持地盤１２を露出させる。
【００４９】
(2)支持地盤１２の上に地盤改良構造体１０、２０を設置する。地盤改良構造体１０、２０の作成方法としては、シート１０Ａ上、又は袋２０Ａ内で、土壌と地盤改良材料を混練する方法、シート１０Ａ、又は袋２０Ａ内に前工程で混練済の土壌と地盤改良材料を散布、注入、投入する方法、シート１０Ａ内、又は袋２０Ａ内の土壌に地盤改良材料を投入して混練する方法のいずれかを採用できる。
【００５０】
(3)シート１０Ａの梱包のつなぎ目、又は袋２０Ａの開口を密閉し、防水性を確保する。密閉の方法は、接着剤や粘着性シート（ブチルテープ等）を用いて封着する方法、ひもによって結束する方法を採用できる。
【００５１】
(4)支持地盤１２の上に必要数の地盤改良構造体１０、２０を設置した後、それらを上部より転圧し、締め固める。
【００５２】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の地盤改良構造体１０、２０は、建物の下部の全面に設置するものでなく、建物の柱の直下部の範囲のみに設置し、シート１０Ａと改良土壌１０Ｂ、袋２０Ａと改良土壌２０Ｂを削減することもできる。
【図面の簡単な説明】
【００５３】
【図１】図１は実施例１の地盤改良構造体の使用状態を示す模式図である。
【図２】図２は実施例２の地盤改良構造体の使用状態を示す模式図である。
【図３】図３は実施例３の地盤改良構造体の使用状態を示す模式図である。
【図４】図４は地盤改良構造体の設置工程を示す模式図である。
【符号の説明】
【００５４】
１０  地盤改良構造体
１０Ａ  シート
１０Ｂ  改良土壌
２０  地盤改良構造体
２０Ａ  袋
２０Ｂ  改良土壌
【図１】
2008208559.tif 000003
【図２】
2008208559.tif 000004
【図３】
2008208559.tif 000005
【図４】
2008208559.tif 000006